(57)【要約】【課題】  負荷である鍋が大きくても誘導加熱コイルの通電状態と加熱出力の強弱の状態が容易に確認することが出来るようにする。【解決手段】  本体１の上面に配置される透光性のトッププレート２と、トッププレート２の下部に配置され、負荷を加熱する誘導加熱コイル２５とを備え、前記トッププレート２の上面に誘導加熱コイル２５の略最外径位置を示す外径リングライン５と誘導加熱コイル２５により加熱可能な負荷の最小径位置を示す内径リングライン４を設けたものにおいて、前記外径リングライン５の外側に放射状に表示部１２を設け、かつ、誘導加熱コイル２５の加熱出力の大きさに応じて表示部１２の発光面積が変化するようにした。【選択図】  図１
2005123054.tif 000002
【特許請求の範囲】
【請求項１】
本体（１）の上面に配置される透光性のトッププレート（２）と、トッププレート（２）の下部に配置され、負荷を加熱する誘導加熱コイル（２５）とを備え、前記トッププレート（２）の上面に誘導加熱コイル（２５）の略最外径位置を示す外径リングライン（５）と誘導加熱コイル（２５）により加熱可能な負荷の最小径位置を示す内径リングライン（４）を設けたものにおいて、前記外径リングライン（５）の外側に放射状に表示部（１２）を設けたことを特徴とする誘導加熱調理器。
【請求項２】
表示部（１２）は、内径リングライン（４）から外径リングライン（５）の外側に向けて放射状に設けたことを特徴とする誘導加熱調理器。
【請求項３】
誘導加熱コイル（２５）の加熱出力の大きさに応じて表示部（１２）の発光面積が変化することを特徴とする請求項１および２記載の誘導加熱調理器。
【請求項４】
誘導加熱コイル（２５）の加熱出力の大きさに応じて表示部（１２）の発光面積が幅方向に変化することを特徴とする請求項３記載の誘導加熱調理器。
【請求項５】
トッププレート（２）上に負荷を載置した時、負荷の大きさを自動的に検知して表示部（１２）が内径リングライン（４）側から発光するか否かを判断することを特徴とする請求項２記載の誘導加熱調理器。
【発明の詳細な説明】
【技術分野】
【０００１】
本発明は、誘導加熱コイルの通電状態を表示する表示部を備えた誘導加熱調理器に関するものである。
【背景技術】
【０００２】
従来のこの種の誘導加熱調理器は、厨房のシステムキッチンや流し台の上に設置したり、あるいは組み込まれて使用されるものであり、熱源である誘導加熱コイルに高周波電流を流して磁束を発生させ、この磁束によって金属製の鍋等の負荷自体を発熱させることで食材を加熱するものである。
【０００３】
このため、この誘導加熱調理器は、ガスを熱源とする加熱調理器や赤熱する電気ヒーターを熱源とする加熱調理器と異なり、通電時に炎や赤熱部が見えず、誘導加熱コイルに通電されていることを視覚的に確認することができない。
【０００４】
このような問題を解決するために、特許文献１や特許文献２に示すように、本体の上面に配置される透光性のトッププレートに誘導加熱コイルの通電状態を表示する表示部を備えたものがある。
【０００５】
特許文献１に示されたものは、誘導加熱コイルの略最外形位置の周囲に複数の電球を設け、誘導加熱コイルの通電時に複数の電球を点灯させることにより加熱範囲の全部または一部をトッププレートの上面に表示するようにしたものである。
【０００６】
また、特許文献２に示されたものは、誘導加熱コイルの略最外形位置の周囲に導光体を設け、この導光体に光を発する電球あるいはＬＥＤなどからなる光源を設けた構成としたものである。そして、誘導加熱コイルの通電時に光源を点灯させて、この光源から発した光が導光体を伝播し、トッププレートに達し、トッププレート上の誘導加熱コイルの周囲を表示するものである。
【０００７】
このように、従来の誘導加熱調理器は、誘導加熱コイルの通電時に透光性のトッププレートを通して誘導加熱コイルの略最外形位置の周囲に光源による表示を行い、誘導加熱コイルが通電されていることを視認できるようにしている。
【０００８】
【特許文献１】特許第２９０３５６１号公報
【０００９】
【特許文献２】特開２００１−３２６０６４号公報
【発明の開示】
【発明が解決しようとする課題】
【００１０】
上記したように、特許文献１および特許文献２に開示されている従来の誘導加熱調理器は、どちらも誘導加熱コイルの略最外形位置に対応したトッププレートに通電状態の表示を行っているため、負荷である鍋の大きさが誘導加熱コイルの略最外形位置の表示部より大きい場合、表示部が鍋によって隠れて見えなくなり、誘導加熱コイルに通電されているかどうか確認することが出来ないという欠点があった。
【００１１】
また、上記のように表示部が鍋によって隠れて見えなくなると、誘導加熱コイルの加熱出力の強弱の状態も確認することが出来ず、使用者は加熱出力の強弱をうまくコントロールして調理することが難しいという欠点があった。
【００１２】
本発明は、上記の不具合を解決するためになされたものであり、負荷である鍋が大きくても誘導加熱コイルの通電状態と加熱出力の強弱の状態が容易に確認することが出来るようにしたものである。
【課題を解決するための手段】
【００１３】
本発明は上記の課題を解決するためになされたもので、請求項１では、本体の上面に配置される透光性のトッププレートと、トッププレートの下部に配置され、負荷を加熱する誘導加熱コイルとを備え、前記トッププレートの上面に誘導加熱コイルの略最外径位置を示す外径リングラインと誘導加熱コイルにより加熱可能な負荷の最小径位置を示す内径リングラインを設けたものにおいて、前記外径リングラインの外側に放射状に表示部を設けたものである。
【００１４】
また、請求項２では、表示部を内径リングラインから外径リングラインの外側に向けて放射状に設けたものである。
【００１５】
また、請求項３では、誘導加熱コイルの加熱出力の大きさに応じて表示部の発光面積が変化するようにしたものである。
【００１６】
また、請求項４では、誘導加熱コイルの加熱出力の大きさに応じて表示部の発光面積が幅方向に変化するようにしたものである。
【００１７】
さらに、請求項５では、トッププレート上に負荷を載置した時、負荷の大きさを自動的に検知して表示部が内径リングライン側から発光するか否かを判断するようにしたものである。
【発明の効果】
【００１８】
上記したように、本発明はトッププレートの上面に誘導加熱コイルの略最外径位置を示す外径リングラインと誘導加熱コイルにより加熱可能な負荷の最小径位置を示す内径リングラインを設けたものにおいて、前記外径リングラインの外側に放射状に表示部を設けたので、負荷である鍋が外径リングラインより大きくても表示部は鍋の外側に放射状に表示されるので誘導加熱コイルの通電状態を容易に確認することができる。
【００１９】
また、この表示部によって使用者に長年使い慣れたガスコンロの強火、中火、弱火、とろ火の炎をイメージさせることで使いやすさと分かりやすさおよび安心感を与えることができるものである。
【００２０】
また、表示部を内径リングラインから外径リングラインの外側に向けて放射状に設け場合には、負荷である鍋が小さくてもその鍋の外側から表示部が放射状に表示されるので誘導加熱コイルの通電状態がより分かりやすいものである。
【００２１】
また、誘導加熱コイルの加熱出力の大きさに応じて表示部の面積が変化するようにした場合には、誘導加熱コイルの加熱出力の強弱の状態を視覚的に確認することができ、使用者は加熱出力をうまくコントロールすることができるものである。
【００２２】
また、誘導加熱コイルの加熱出力の大きさに応じて表示部の発光面積が幅方向に変化するようにした場合には、鍋が大きく、かつ、加熱出力の表示が弱い場合でも表示部の発光部分が鍋の外側底面に隠れることがなく、よく見えるものである。
【００２３】
さらに、トッププレート上に負荷を載置した時、負荷の大きさを自動的に検知して表示部が内径リングライン側から発光するか否かを判断するようにした場合には、鍋の大きさに応じて自動的に表示部の点灯位置が内径リングライン側か外径リングライン側かを選択するため、誘導加熱コイルの通電状態がさらに分かりやすく、便利なものである。
【発明を実施するための最良の形態】
【００２４】
以下、本発明の一実施例を添付図面に従って説明する。本実施例は、誘導加熱用の加熱コイルを本体の左右に二つ備えた例で説明する。
【００２５】
まず、図１および図２において、１は誘導加熱調理器の本体であり、システムキッチンに組み込まれて使用される。２はトッププレートで、本体１の上面に配置され、耐熱性が高く、かつ、透光性のある結晶化ガラスで成形されており、後記表示部１２が配置される部分を除き裏面のほぼ全面に塗装を施して下方が視認できないように構成されている。３はトッププレートカバー枠で、トッププレート２の周りに固着されている。
【００２６】
４はトッププレート２の上面に設けられた内径リングラインで、トッププレート２の下面で本体１内に設置された後記加熱コイル２５による加熱可能な鍋の最小径を示すものである。
【００２７】
５は外径リングラインで、トッププレート２の上面に内形リングライン４と同芯状に設けられており、誘導加熱コイル２５の略最外径位置を示すものである。
【００２８】
なお、この内径リングライン４および外径リングライン５は本体１内の左右に二つ備えた誘導加熱コイル２５に対応して、トッププレート２の左右に二つ備えられている。６は抵抗加熱部で、本体１内の中央後部に設置された抵抗ヒーター（図示せず）に対応して設けられている。
【００２９】
７はグリル部で、本体１の左側下部に配置され、魚等を焼く部分である。８は排気口で、トッププレート２の後方左側に設けられ、グリル部７からの排気および本体１の内部を冷却した廃熱を排出する。９は吸気口で、本体１の後方右側に設けられており、本体１の内部に冷却用空気を吸引する。
【００３０】
１０は操作部で、本体１の前面右側の垂直面部に配され、誘導加熱コイル２５や抵抗加熱部６およびグリル部７に対応し、これらの通電入り切りを行うスイッチや火力の操作等を行うツマミ類が配されている。１１はメインスイッチで、操作部１０内に配置され、機器全体の電源の入り切りを行う。尚、操作部１０の一部はトッププレート２面に設けてもよい。
【００３１】
１２は表示部で、図２に示すように、トッププレート２の外径リングライン５の外側または図６に示すように、内径リングライン４より外径リングライン５の外側に向けて放射状に長く複数本（図では６本）等間隔に設けられている。具体的には、トッププレート２の裏面に放射状に表示部１２の透光部分を残してそれ以外の部分に塗装を施し、表示部１２以外はトッププレート２の上面から下方が視認できないようにしている。そして、この表示部１２と対応した本体１内に図８に示すように、複数個のＬＥＤ等よりなる発光手段１３を並べて配置し、後記するように制御部２４からの信号により個々のＬＥＤ等が点灯、消灯をすることにより、発光面積を変化させるものである。
【００３２】
次に、図２および図３により表示部１２の詳細を説明する。まず、図２は使用者が長年使い慣れたガスコンロの炎をイメージし、表示部１２が外径リングライン５の外側、すなわち、外径リングライン５内に載置した鍋の外側に放射状に細長く点灯させる状態を示している。このとき、鍋が外径リングライン５より大きくても表示部１２はその外側に伸びて発光するので、鍋によって隠れることはない。
【００３３】
そして、この表示部１２はガスコンロの火力の炎をイメージして図３（ａ）（ｂ）（ｃ）（ｄ）に示すようにその発光する面積が変化するように構成されている。すなわち、誘導加熱コイル２５の加熱出力が強出力の場合には（ａ）に示すように表示部１２の全部が発光し、中出力の場合には（ｂ）に示すように半分発光し、弱出力の場合には（ｃ）に示すように１／４発光し、微弱出力の場合には（ｄ）に示すように１／５発光する。これは、使用者に長年使い慣れたガスコンロの強火、中火、弱火、とろ火の炎をイメージさせることで使いやすさと分かりやすさを表現するものである。
【００３４】
また、図４および図５は本発明の他の実施例を示すもので、前記図２および図３に示す実施例をさらに改良したものである。すなわち、前記実施例に示すように表示部１２が外径リングライン５の外側に放射状に細長く点灯するものでは図３（ｃ）（ｄ）に示すように加熱出力の発光面積が少ない場合、鍋が大きくなると表示部１２の発光部分が鍋の外側底面に隠れて見えにくいか、または見えなくなる場合がある。
【００３５】
そこで、表示部１２の放射状の発光長さを一定として幅方向を誘導加熱コイル２５の加熱出力の強弱に応じて変化させるようにしたものである。
【００３６】
すなわち、誘導加熱コイル２５の加熱出力が強出力の場合には（ａ）に示すように表示部１２の全幅が発光し、中出力の場合には（ｂ）に示すように半分の幅が発光し、弱出力の場合には（ｃ）に示すように１／４の幅が発光し、微弱出力の場合には（ｄ）に示すように１／５の幅が発光するものである。もちろん、これも、使用者に長年使い慣れたガスコンロの強火、中火、弱火、とろ火の炎をイメージさせることで使いやすさと分かりやすさを表現するものであることは言うまでもない。
【００３７】
これによって、表示部１２の発光面積が少ない場合で、かつ、鍋が大きい場合でも表示部１２の発光部分が鍋の外側底面に隠れて見えにくくなるということがなくなるものである。
【００３８】
次に、図７は本発明の一実施例を示す回路ブロック図である。
【００３９】
この図７において、２１は交流電源で、両端に整流回路２２を接続している。整流回路２２の＋端子部と−端子部には平滑コンデンサ２３を接続し、直流電源を形成している。
【００４０】
２４は共振コンデンサで、二つを直列に接続し、その一端を前記直流電源の高圧側（整流回路２２の＋端子部。以下同様。）に接続し、他の一端を直流電源の低圧側（整流回路２の−端子部。以下同様。）に接続するとともに、二つの直列接続点を後記加熱コイル２５の第一の端子と接続している。
【００４１】
２５は誘導加熱コイルで、これと共振コンデンサ２４によって共振回路２６が形成され、高周波電流が流れることにより上方の負荷３０である鍋を加熱する。
【００４２】
２７はスナバコンデンサで、二つを直列に接続し、その一端を前記直流電源の高圧側に接続し、他の一端を前記直流電源の低圧側に接続するとともに、二つの直列接続点を加熱コイル２５の第二の端子と接続している。
【００４３】
２８はスイッチング素子で、逆並列ダイオードを有し、二つを直列に接続し、その一端を前記直流電源の高圧側に接続し、他端を前記直流電源の低圧側に接続するとともに、二つの直列接続点を加熱コイル２５の第二の端子と接続している。そして、この二つのスイッチング素子２８のゲート部を後記駆動部３１の出力部と接続している。
【００４４】
２９はインバータ回路で、二つのスイッチング素子２８と二つのスナバコンデンサ２７によって形成される。
【００４５】
３１は駆動部で、この入力部を後記制御部２４の出力部と接続し、出力部をスイッチング素子２８のゲート部と接続している。
【００４６】
３２は一次電流検出素子で、電源２１と整流回路２２との間に流れる電流を検出するよう設置され、その出力部を後記制御部２４の入力部と接続している。
【００４７】
３３はコイル電流検出素子で、加熱コイル２５に流れる電流を検出するよう設置され、その出力部を後記制御部２４の入力部と接続している。
【００４８】
３４は温度検出素子で、トッププレート２の温度を検出するよう加熱コイル２５の略中央上方でトッププレート２の下面に設けられ、その出力部を後記制御部２４の入力部と接続している。
【００４９】
２４は制御部で、前述したようにその入力部を一次電流検出素子３２、コイル電流検出素子３３、温度検出素子３４および操作部１０と接続し、その出力部を前記駆動部３１、発光手段１３と接続し、これらや入力電力等を制御する。
【００５０】
１０は操作部で、制御部２４の入力部と接続し、加熱電力のレベル等を設定する。
【００５１】
３５は鍋形状判定手段で、赤外線ＬＥＤ等よりなる発光手段３５ａとフォトトランジスタ等よりなる受光手段３５ｂとで構成されており、トッププレート２の下面で内径リングライン４と外径リングライン５の間に等間隔に複数個（図２では３個）設置されており、それからの信号を制御部２４に入力するようにしてある。
【００５２】
上記の回路の動作を説明すると、交流電源２１が整流回路２２に供給され、整流回路２２はこの電源２１を直流電源に変換し、平滑コンデンサ２３によって平滑する。そして、この直流電源を加熱コイル２５及び共振コンデンサ２４によって形成される共振回路２６に供給する。
【００５３】
この状態において、制御部２４は一次電流検出素子３２、コイル電流検出素３３および温度検出素子３４の信号を把握しながら、操作部１０で設定された加熱電力のレベルに応じて入力電力を制御するため、駆動部３１に信号を出力し、駆動部３１を介してインバータ回路２９を動作させる。
【００５４】
インバータ回路２９は共振回路２６に高周波の共振電流を発生させ、加熱コイル２５はこの共振電流によってトッププレート２上に載置された負荷３０、すなわち鍋を加熱する。この時、制御部２４は操作部１０で設定された加熱出力レベルに応じて入力電力等を制御し、適正な加熱電力を出力させる。
【００５５】
また、制御部２４は、操作部１０での加熱出力のレベル設定時および加熱動作時に発光手段１３に夫々対応した信号を出力し、表示部１２に設定状態や加熱状態等に応じた表示を行わせる。
【００５６】
以上は誘導加熱調理器における一般的な回路動作である。
【００５７】
本発明においては、操作部１０によって誘導加熱コイル２５の加熱出力を強から微弱まで変化させると、制御部２４はそれに応じて発光手段１３を構成するＬＥＤの点灯数を変化させ、その状態をトッププレート２の表示部１２に表示する。
【００５８】
この表示部１２による加熱出力レベルの表示は、すでに図３に示した通りであり、誘導加熱コイル２５の加熱出力が強出力の場合には（ａ）に示すように表示部１２の全部が発光し、中出力の場合には（ｂ）に示すように半分発光し、弱出力の場合には（ｃ）に示すように１／４発光し、微弱出力の場合には（ｄ）に示すように１／５発光する。
【００５９】
また、図４および図５においては、誘導加熱コイル２５の加熱出力が強出力の場合には（ａ）に示すように表示部１２の全幅が発光し、中出力の場合には（ｂ）に示すように半分の幅が発光し、弱出力の場合には（ｄ）に示すように１／４の幅が発光し、微弱出力の場合には（ｄ）に示すように１／５の幅が発光するものである。
【００６０】
また、本発明においては、トッププレート２上に負荷３０である鍋を載置した時、その鍋の大きさを鍋形状判定手段３５により自動的に検知して表示部１２が内径リングライン４側から発光するか、外形リングライン５から発光するか否かを判断する。
【００６１】
すなわち、負荷３０である鍋が鍋形状判定手段３５の上面位置にない場合は、発光手段３５ａから発光する光はその上面に拡散して受光手段３５ｂに届かず、この受光手段３５ｂの信号は小さい信号レベルとして制御部２４に入力され、トッププレート２の外形リングライン５上には鍋がないと判断し、図６に示すように小さい鍋に対応して内径リングライン４側から発光する。これによって、負荷３０である鍋が小さくてもその鍋の外側から表示部１２が放射状に表示されるので誘導加熱コイル２５の通電状態がより分かりやすくなる。
【００６２】
次に、負荷３０である鍋が鍋形状判定手段３５の上面位置に置かれた場合には、発光手段３５ａから発光する光がその鍋に反射して受光手段３５ｂに入力される。そして、この受光手段３５ｂの信号は大きい信号レベルとして制御部２４に入力され、トッププレート２の外形リングライン５上に鍋があると判断し、図２に示すように大きい鍋に対応して外径リングライン５５から発光する。
【００６３】
上記したように、本実施例では、トッププレート２の上面に誘導加熱コイル２５の略最外径位置を示す外径リングライン５と誘導加熱コイル２５により加熱可能な負荷の最小径位置を示す内径リングライン４を設けたものにおいて、前記外径リングライン５の外側に放射状に表示部１２を設けたので、負荷３０である鍋が外径リングライン５より大きくても表示部１２は鍋の外側に放射状に表示されるので誘導加熱コイル２５の通電状態を容易に確認することができる。また、この表示部１２によって使用者に長年使い慣れたガスコンロの強火、中火、弱火、とろ火の炎をイメージさせることで使いやすさと分かりやすさおよび安心感を与えることができるものである。
【００６４】
また、表示部１２を内径リングライン４から外径リングライン５の外側に向けて放射状に設けた場合には、負荷３０である鍋が小さくてもその鍋の外側から表示部１２が放射状に表示されるので誘導加熱コイル２５の通電状態がより分かりやすいものである。
【００６５】
また、誘導加熱コイル２５の加熱出力の大きさに応じて表示部１２の面積が変化するようにした場合には、誘導加熱コイル１２の加熱出力の強弱の状態を視覚的に確認することができ、使用者は加熱出力をうまくコントロールすることができるものである。
【００６６】
また、誘導加熱コイル２５の加熱出力の大きさに応じて表示部１２の発光面積が幅方向に変化するようにした場合には、負荷３０である鍋が大きく、かつ、加熱出力の表示が弱い場合でも表示部１２の発光部分が鍋の外側底面に隠れることがなく、よく見えるものである。
【００６７】
さらに、トッププレート２上に負荷を載置した時、負荷の大きさを自動的に検知して表示部１２が内径リングライン４側から発光するか否かを判断するようにした場合には、鍋の大きさに応じて自動的に表示部の点灯位置が内径リングライン４側か外径リングライン５側かを選択するため、誘導加熱コイル２５の通電状態がさらに分かりやすく、便利なものである。
【図面の簡単な説明】
【００６８】
【図１】本発明の誘導加熱調理器の外観斜視図である。
【図２】本発明の誘導加熱調理器の上面図である。
【図３】本発明の表示部の表示パターンを示す図である。
【図４】本発明の表示部の上面図である。
【図５】本発明の表示部の他の表示パターンを示す図である。
【図６】本発明の他の表示部の上面図である。
【図７】本発明の制御回路図である。
【図８】本発明の表示部の構成図である。
【図９】本発明の表示部の他の構成図である。
【符号の説明】
【００６９】
１  本体
２  トッププレート
４  内径リングライン
５  外径リングライン
１２  表示部
１３  発光手段
２４  制御部
３０  負荷
３５  鍋形状判定手段
【図１】
2005123054.tif 000003
【図２】
2005123054.tif 000004
【図３】
2005123054.tif 000005
【図４】
2005123054.tif 000006
【図５】
2005123054.tif 000007
【図６】
2005123054.tif 000008
【図７】
2005123054.tif 000009
【図８】
2005123054.tif 000010
【図９】
2005123054.tif 000011